(57)【要約】【課題】製造と組立が簡単であり、保護カバーの取り付けが便利、快速、安定であるとともに、保護カバーが取り外し可能であり、干渉を減少することにより、作動が順調に行われる保護カバーの枢軸揺動ユニットを提供する。【解決手段】遮蔽部材および保護カバーと結合する。保護カバーの枢軸揺動ユニットは、第一接続部材１０と第二接続部材２０を有する。第一接続部材１０は、遮蔽部材に設けられている。第二接続部材２０は、保護カバーに設けられ、且つ第一接続部材１０と枢設する。また、第二接続部材２０は、カバーを相互に挟む第一カバー固定片２１および第二カバー固定片２２を有する。【選択図】図６
2014136963.tif 000002
【特許請求の範囲】
【請求項１】
遮蔽部材および保護カバーと組み合わせ、
前記遮蔽部材に接続されている第一接続部材と、
前記保護カバーに接続され、且つ前記第一接続部材に枢設されており、前記保護カバーを挟み合う第一カバー固定片および第二カバー固定片を有する第二接続部材と、を備えることを特徴とする保護カバーの枢軸揺動ユニット。
【請求項２】
前記保護カバーは位置決め孔を有しており、
前記第二接続部材は、前記第一カバー固定片に形成され、且つ前記保護カバーの位置決め孔に挿設するのに用いられる凸部が形成されていることを特徴とする請求項１に記載の保護カバーの枢軸揺動ユニット。
【請求項３】
遮蔽部材および位置決め孔を有する保護カバーと組み合わせており、
前記遮蔽部材に接続されている第一接続部材と、
前記保護カバーに接続され、且つ前記第一接続部材と枢設しており、前記保護カバーに接続する第一カバー固定片、および、前記第一カバー固定片に形成され前記保護カバーの前記位置決め孔に挿設する凸部を有する第二接続部材と、を備える保護カバーの枢軸揺動ユニット。
【請求項４】
前記第二接続部材における前記第一カバー固定片の凸部内には、第一貫通孔が形成されていることを特徴とする前記請求項２または請求項３に記載の保護カバーの枢軸揺動ユニット。
【請求項５】
前記第二接続部材は、前記第一カバー固定片と相互に前記保護カバーを挟み合う第二カバー固定片を有することを特徴とする前記請求項３に記載の保護カバーの枢軸揺動ユニット。
【請求項６】
前記第二接続部材の前記第二カバー固定片は、前記凸部に対応する第二貫通孔を有することを特徴とする前記請求項２または請求項５に記載の保護カバーの枢軸揺動ユニット。
【請求項７】
前記第二接続部材は、前記第一カバー固定片および前記第二カバー固定片と一体に構成されているカバー固定片の連結部を有することを特徴とする前記請求項１または請求項５に記載の保護カバーの枢軸揺動ユニット。
【請求項８】
前記第二接続部材は、前記カバー固定片の連結部に形成され、前記第二接続部材と前記第一接続部材との枢設に用いられる枢設孔を有することを特徴とする前記請求項７に記載の保護カバーの枢軸揺動ユニット。
【請求項９】
前記第二接続部材の前記第二カバー固定片は、端縁部の末端が平直状または一部が折り返されている形状を呈することを特徴とする前記請求項１または５に記載の保護カバーの枢軸揺動ユニット。
【請求項１０】
前記第二接続部材の前記第一カバー固定片は、端縁部の末端が平直状または曲線状を呈することを特徴とする前記請求項１または３に記載の保護カバーの枢軸揺動ユニット。
【請求項１１】
前記第一接続部材および前記第二接続部材に弾性的に当接する弾性部材をさらに備えることを特徴とする前記請求項１または３に記載の保護カバーの枢軸揺動ユニット。
【請求項１２】
前記第一接続部材および前記第二接続部材を枢設する枢設部材をさらに備えることを特徴とする前記請求項１または３に記載の保護カバーの枢軸揺動ユニット。
【請求項１３】
前記第一接続部材は、前記遮蔽部材に嵌め込む第一遮蔽部材固定片および第二遮蔽部材固定片を有することを特徴とする前記請求項１または３に記載の保護カバーの枢軸揺動ユニット
【請求項１４】
前記第一接続部材は、前記第一遮蔽部材固定片および第二遮蔽部材固定片を連結する遮蔽部材固定片の連結部を有することを特徴とする前記請求項１３に記載の保護カバーの枢軸揺動ユニット。
【請求項１５】
前記第一接続部材は、前記遮蔽部材固定片の連結部の片側に設けられ、前記第二接続部材と前記第一接続部材とを枢設するのに用いられる枢設部を有することを特徴とする前記請求項１４に記載の保護カバーの枢軸揺動ユニット。
【請求項１６】
前記第一接続部材の枢設部は、前記第二接続部材と前記第一接続部材とを枢設する枢設孔を有することを特徴とする前記請求項１５記載の保護カバーの枢軸揺動ユニット。
【発明の詳細な説明】
【技術分野】
【０００１】
本発明は、保護カバーに関し、特に、保護カバーの枢軸揺動ユニットに関する。
【背景技術】
【０００２】
従来の保護カバーの枢軸揺動ユニットは、一つの連結部材で複数のカバーを連結する構造となっている。従来の保護カバーの枢軸揺動ユニットは、枢軸部材と保護カバー本体とを結合した上で、両者の孔部にフィットして、リベットなどの部材により鋲締めして連結させる。
【０００３】
しかしながら、上述のような組立方式は、鋲締めの工程が必須となるため、組立工数が増加する。また、周知の枢軸部材と保護カバー本体との結合構造の多くが固着されている状態であって、取り外しが難しいため、簡単に分解する需要に応えることができない。この他に、従来の枢軸部材と保護カバー本体との結合構造は、鋲締めした鋲頭部が形成され、枢軸部材と各保護カバー本体の間に干渉する場合が生じるので、作動の協調性に影響を与えるおそれがある。
従来の保護カバーの枢軸揺動ユニットは、上述の欠陥が存在しているため、数多くの改良すべきところがある。そこで、発明者は積極的に研究開発に取り組み、創新と改良を加え、本発明を完成した。
【先行技術文献】
【特許文献】
【０００４】
【特許文献１】特開平６−２４７１９３号公報
【発明の概要】
【発明が解決しようとする課題】
【０００５】
本発明は、上述の問題に鑑みてなされたものであり、その目的は、製造と組立が簡単であり、保護カバーの取り付けが便利、快速、安定であるとともに、保護カバーが取り外し可能であり、干渉を減少することにより、作動が順調に行われる保護カバーの枢軸揺動ユニットを提供することにある。
【課題を解決するための手段】
【０００６】
上述の目的を実現するために、本発明の保護カバーの枢軸揺動ユニットは、遮蔽部材および保護カバーと結合する。前記保護カバーの枢軸揺動ユニットは、第一接続部材と第二接続部材を有する。第一接続部材は、前記遮蔽部材に設けられている。第二接続部材は、前記保護カバーに設けられ、且つ前記第一接続部材と枢設する。また、前記第二接続部材は、前記カバーを相互に挟む第一カバー固定片および第二カバー固定片を有する。
或は、保護カバーの枢軸揺動ユニットは、遮蔽部材および保護カバーと結合する。前記保護カバーは位置決め孔を有する。前記保護カバーの枢軸揺動ユニットは、第一接続部材と第二接続部材とを有する。前記第一接続部材は、前記遮蔽部材に設けられている。前記第二接続部材は、前記保護カバーに接続され、且つ前記第一接続部材と枢設する。また、前記第二接続部材は、前記カバーを接続するのに用いられる第一カバー固定片を有する。また、前記第一カバー固定片に凸部が形成されており、前記保護カバーの位置決め孔に挿設するのに用いられる。
【図面の簡単な説明】
【０００７】
【図１】本発明の一実施形態による遮蔽部材および保護カバーの組立状態を示す斜視図である。
【図２】本発明の一実施形態による遮蔽部材および保護カバーの組立状態を示す斜視断面図である。
【図３】本発明の一実施形態による遮蔽部材および保護カバーの分解斜視図である。
【図４】本発明の一実施形態による組立状態を示す斜視図である。
【図５】図４の５−５線断面図である。
【図６】本発明の一実施形態による分解斜視図である。
【発明を実施するための形態】
【０００８】
本発明の構造、特徴、および効果を詳細に説明するために、以下、本発明の実施形態を図面に基づき説明する。
（一実施形態）
図１から図６のように、本発明の一実施形態における保護カバーの枢軸揺動ユニット１は、遮蔽部材５および保護カバー７と結合する。
【０００９】
その中の遮蔽部材５は、マスク本体５１および支持板５２を有する。前記マスク本体５１は、支持板５２の局部に嵌め込まれており、連結部５３を構成する。
この他に、保護カバー７は、連結部７１およびカバー延伸部７３を有する。前記連結部７１は、複数の位置決め孔を有する。
【００１０】
本実施形態の保護カバーの枢軸揺動ユニット１は、第一接続部材１０、第二接続部材２０を有する。
第一接続部材１０は、遮蔽部材５に接続されている。第一接続部材１０は、遮蔽部材固定片の連結部１３により連結されている第一遮蔽部材固定片１１および第二遮蔽部材固定片１２を有する。並びに、遮蔽部材固定片の連結部１３の一端に一体に屈折して成形された二つの枢設部１４を有する。各枢設部１４は、枢設孔１５を有する。第一接続部材１０の第一遮蔽部材固定片１１と第二遮蔽部材固定片１２それぞれに係止部１６を有し、遮蔽部材５に係止することができる。さらに詳しく説明すれば、係止部１６は、遮蔽部材５の連結部５３に係止することができる。この他に、第一遮蔽部材固定片１１と第二遮蔽部材固定片１２それぞれに嵌め込みやすくするための曲線状の端縁部１７を形成する。
【００１１】
第二接続部材２０は、保護カバー７に接続されている。第二接続部材２０は、保護カバー７を相互に挟む第一カバー固定片２１および第二カバー固定片２２を有する。その中の第二接続部材２０における第一カバー固定片２１と第二カバー固定片２２の間にカバー固定片の連結部２３を有し、且つ一体された成形構造になっている。第二接続部材２０は、カバー固定片の連結部２３に形成されている枢設孔２４を有する。この他に、第二接続部材２０は、二つの凸部２５有する。凸部２５は、第一カバー固定片２１に形成されており、保護カバー７の各位置決め孔７２に挿設するのに用いられる。第二接続部材２０における第一カバー固定片２１の凸部２５内に第一貫通孔２６が形成されている。第二接続部材２０における第二カバー固定片２２に凸部２５に対応している第二貫通孔２７が形成されている。また、第二接続部材２０の第一遮蔽部材固定片１１と第二遮蔽部材固定片１２それぞれに末端が平直状を呈する端縁部２８および端縁部２９を形成する。
【００１２】
また、上述の保護カバーの枢軸揺動ユニット１は、弾性部材３０を含む。本実施形態における弾性部材３０は、ねじりばねであり、その一端が第一接続部材に圧着されており、他端が第二接続部材２０に圧着されている。
【００１３】
上述の保護カバーの枢軸揺動ユニット１は、枢設部材４０をさらに備える。枢設部材４０は、第一接続部材１０の枢設部１４、第二接続部材２０の枢設孔２４、および弾性部材３０を貫通する。即ち、第一接続部材１０と第二接続部材２０との枢設状態を構成する。
【００１４】
本実施形態の保護カバーの枢軸揺動ユニット１の実施構造または使用方式、および特徴について以下に説明する。
【００１５】
本実施形態の保護カバーの枢軸揺動ユニット１は、まず、遮蔽部材５と組み合わせてから、保護カバー７と組み合わせることができる。或いは、本実施形態の保護カバーの枢軸揺動ユニット１は、先に保護カバー７と組み合わせてから、遮蔽部材５と組み合わせることができる。
【００１６】
保護カバーの枢軸揺動ユニット１と遮蔽部材５とを組み立てるとき、第一接続部材１０における第一遮蔽部材固定片１１および第二遮蔽部材固定片１２を遮蔽部材５の連結部５３に嵌め込むことにより第一接続部材１０の係止部１６が、遮蔽部材５の連結部５３に係止される。よって固定工程を完成する。
【００１７】
保護カバーの枢軸揺動ユニット１と保護カバー７とを組み立てるとき、まず、第二接続部材２０における第一カバー固定片２１と第二カバー固定部材とを相互に引き開けてから、保護カバー７の連結部７１を第二接続部材２０の第一カバー固定片２１と第二カバー固定片２２の間に挿入する。次いで、第二接続部材２０の第一カバー固定片２１と第二カバー固定片２２とを放つことにより相互に閉じあわせる。第二接続部材２０における第一カバー固定片２１の凸部２５を保護カバー７の位置決め孔７２に挿入することにより、安定かつ正確な固定効果を果たすことができる。
【００１８】
組立を完成した後、保護カバーの枢軸揺動ユニット１の第二接続部材２０は、保護カバー７と連動することができる。弾性部材３０は、弾力により第二接続部材２０の回転を抑制し、保護カバー７を下方向に押し付ける。それは、全部保護カバーが延伸または短縮により揺動する際の作動に合わせることができる。またはその他の必要においても逆方向に揺動することができる。
【００１９】
上述の本実施形態の構造により、第二接続部材２０の第一カバー固定片２１と第二カバー固定片２２との外周面は、常に平らな状態を維持する。従来の鋲締め部材またはボルトによる固定が必要とせず、鋲締めによる鋲頭部またはボルトによる頭部を有していないため、保護カバー７が重なるときの高さがさらに低減するだけでなく、鋲頭部またはボルトの頭部による干渉問題を解決することができる。
【００２０】
この他に、本実施形態の上述の構造の特徴および機能はさらに以下の内容を含む。第二接続部材２０の第一カバー固定片２１および第二カバー固定片２２で保護カバー７を挟み合う。第二接続部材２０における第一カバー固定片２１の凸部２５を保護カバー７の位置決め孔７２に挿設することにより位置が決められ、固定される。即ち、錠締めまたは螺接でない方法で固定することにより組立作業およびコストを低減する。また、本実施形態の組立方法は、組立に便利だけでなく、保護カバー７と保護カバーの枢軸揺動ユニットとを簡単に分離することができる。
【００２１】
本実施形態は、上述の実施形態のほか、以下のとおりに実施することも可能である。
例えば、第一接続部材１０の枢設部１４、第二接続部材２０のカバー固定片の連結部２３、凸部２５、第一貫通孔２６、および第二貫通孔２７それぞれの数は、上述の実施形態においては二個に設定したが、数量を限定せず、その全体または個別を一つまたは二つ以上に変更することが可能である。
【００２２】
或いは、第二接続部材２０における第一カバー固定片２１の端縁部２８および／または第二カバー固定片２２の端縁部２９を上述に示した平面状のほか、両者またはそのうちの少なくとも一つの端縁部２８および端縁部２９を少々外向へ開く形（図示せず）に変更することができる。または、折り曲げ縁（図示せず）など各種の曲線状を形成することができる。よって、第一カバー固定片２１および／または第二カバー固定片２２を押し開くことができる。
【００２３】
この他に、本実施形態の枢設部材４０は、上述のように第一接続部材１０と第二接続部材２０、および弾性部材３０と分離して組み立てるほか、直接に第一接続部材１０と、第二接続部材２０或いは弾性部材３０に接続または成形することができる。故に、本実施形態は、第一接続部材１０と第二接続部材２０とが直接に枢設または間接に枢設することが含まれている。
【００２４】
さらに、本実施形態は、一定の状況下において、弾性部材３０を使用しないことができる。例えば、直立式重力により自然に垂れ下がって揺動またはその他の外力により揺動する。
この他に、第二接続部材２０の枢設孔２４は、上述の実施形態のようにカバー固定片の連結部２３に形成するとは限らず、別途に設置可能である。
【００２５】
最後に、本実施形態の保護カバーの枢軸揺動ユニット１と組み合わせる遮蔽部材５は、上述のマスク本体５１および支持板５２を有する形式のほか、マスク本体５１は、支持板５２を有しないマスク本体５１のみの形式にも適応している。
上述したように、本実施形態の保護カバーの枢軸揺動ユニットは、製造および組立作業を簡易化にするだけでなく、保護カバーの取り付けが便利で快速、さらに安定である。また、保護カバーの取り外しが便利であり、干渉を低減することにより作動が順調になるため、確実に本発明の目的を実現した。
本発明における上述の実施形態に記載の構成部材は、例示するためであって、本発明の範囲を限定するものではない。他の部材への等価置換または変化は、本発明の特許請求の範囲内に属する。
【符号の説明】
【００２６】
１  保護カバーの枢軸揺動ユニット、
５  遮蔽部材、
７  保護カバー、
１０  第一接続部材、
１１  第一遮蔽部材固定片、
１２  第二遮蔽部材固定片、
１３  遮蔽部材固定片の連結部、
１４  枢設部、
１５  枢設孔、
１６  係止部、
１７  端縁部、
２０  第二接続部材、
２１  第一カバー固定片、
２２  第二カバー固定片、
２３  カバー固定片の連結部、
２４  枢設孔、
２５  凸部、
２６  第一貫通孔、
２７  第二貫通孔、
２８  端縁部、
２９  端縁部、
３０  弾性部材、
４０  枢設部材、
５１  マスク本体、
５２  支持板、
５３  連結部、
７１  連結部、
７２  位置決め孔、
７３  カバー延伸部。
【図１】
2014136963.tif 000003
【図２】
2014136963.tif 000004
【図３】
2014136963.tif 000005
【図４】
2014136963.tif 000006
【図５】
2014136963.tif 000007
【図６】
2014136963.tif 000008